Podtech/llm-jp-corpus-v4-ja_patent huggingface dataset:
【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】
機外の給水設備に連結される給水取り入れ口と、この給水取り入れ口に連通し洗濯槽に向かって開口する給水口と、を有する洗濯機において、
筒状のケースと、このケースの内側に配置された有底筒状のフィルター保持筒と、このフィルター保持筒の内側に配置されたフィルターと、前記ケースと前記フィルター保持筒の間に装着された弾性体とからなる不純物除去装置を備え、
前記ケースは
一端の第１開口部が前記給水取り入れ口に連通する流入口として形成され、
他端の第２開口部が蓋で着脱自在に開成され、
周面から突出した形状で前記給水口に連通する流出口とを有する
構造であり、
前記フィルター保持筒は
一端に前記流入口に連通する第３開口部と前記ケースに軸支される第１の支軸が形成され、
他端は密閉されるとともに前記蓋に軸支される第２の支軸が形成され、
周面は前記流出口に連通する開口が形成されており、
前記フィルターは
前記流入口から取り入れられた水を濾過することにより水中の不純物を除去し、
前記弾性体は
前記フィルター保持筒の他端と前記蓋の間に装着されている
ことを特徴とする洗濯機。
【請求項２】
前記フィルターが、不織布，濾過膜，活性炭のうちの少なくとも１つから成ることを特徴とする請求項１記載の洗濯機。
【請求項３】
前記不純物除去装置の流入口側には、表示リングを設けていることを特徴とする請求項１に記載の洗濯機。
【請求項４】
前記ケースの流入口側にバイパス路が設けられ、該バイパス入口内に圧力弁とバネを有することを特徴とする請求項１に記載の洗濯機。
【請求項５】
前記給水口とは別に、前記バイパス路と連通する給水口を設けたことを特徴とする請求項４に記載の洗濯機。
【請求項６】
前記バイパス路が前記フィルターの上流と下流との間に設けられており、前記不純物除去装置の内部に所定以上の水圧が生じたことを検知する検知手段を設けたことを特徴とする請求項４に記載の洗濯機。
【請求項７】
前記不純物除去装置の内部を視覚確認可能にする視覚確認手段を設けたことを特徴とする請求項１又は請求項３に記載の洗濯機。
【請求項８】
前記表示リングの外周部分には磁石が固定され、前記表示リングに対向するケース部分の外面には磁気検知器が設置されていることを特徴とする請求項３に記載の洗濯機。
【手続補正２】
【補正対象書類名】明細書
【補正対象項目名】０００５
【補正方法】変更
【補正の内容】
【０００５】
【課題を解決するための手段】
上記目的を達成するために、本発明の洗濯機は、機外の給水設備に連結される給水取り入れ口と、この給水取り入れ口に連通し洗濯槽に向かって開口する給水口と、を有する洗濯機において、筒状のケースと、このケースの内側に配置された有底筒状のフィルター保持筒と、このフィルター保持筒の内側に配置されたフィルターと、前記ケースと前記フィルター保持筒の間に装着された弾性体とからなる不純物除去装置を備え、前記ケースは一端の第１開口部が前記給水取り入れ口に連通する流入口として形成され、他端の第２開口部が蓋で着脱自在に開成され、周面から突出した形状で前記給水口に連通する流出口とを有する構造であり、前記フィルター保持筒は一端に前記流入口に連通する第３開口部と前記ケースに軸支される第１の支軸が形成され、他端は密閉されるとともに前記蓋に軸支される第２の支軸が形成され、周面は前記流出口に連通する開口が形成されており、前記フィルターは前記流入口から取り入れられた水を濾過することにより水中の不純物を除去し、前記弾性体は前記フィルター保持筒の他端と前記蓋の間に装着されていることを特徴とする。
【手続補正３】
【補正対象書類名】明細書
【補正対象項目名】０００６
【補正方法】変更
【補正の内容】
【０００６】
また、前記フィルターが、不織布，濾過膜，活性炭のうちの少なくとも１つから成ることを特徴とする。
【手続補正４】
【補正対象書類名】明細書
【補正対象項目名】０００７
【補正方法】変更
【補正の内容】
【０００７】
また、前記不純物除去装置の流入口側には、表示リングを設けていることを特徴とする。
【手続補正５】
【補正対象書類名】明細書
【補正対象項目名】０００８
【補正方法】変更
【補正の内容】
【０００８】
また、前記ケースの流入口側にバイパス路が設けられ、該バイパス入口内に圧力弁とバネを有することを特徴とする。
【手続補正６】
【補正対象書類名】明細書
【補正対象項目名】０００９
【補正方法】変更
【補正の内容】
【０００９】
また、前記給水口とは別に、前記バイパス路と連通する給水口を設けたことを特徴とする。
【手続補正７】
【補正対象書類名】明細書
【補正対象項目名】００１０
【補正方法】変更
【補正の内容】
【００１０】
また、前記バイパス路が前記フィルターの上流と下流との間に設けられており、前記不純物除去装置の内部に所定以上の水圧が生じたことを検知する検知手段を設けたことを特徴とする。
【手続補正８】
【補正対象書類名】明細書
【補正対象項目名】００１１
【補正方法】変更
【補正の内容】
【００１１】
また、前記不純物除去装置の内部を視覚確認可能にする視覚確認手段を設けたことを特徴とする。
【手続補正９】
【補正対象書類名】明細書
【補正対象項目名】００１２
【補正方法】変更
【補正の内容】
【００１２】
前記表示リングの外周部分には磁石が固定され、前記表示リングに対向するケース部分の外面には磁気検知器が設置されていることを特徴とする。
【手続補正１０】
【補正対象書類名】明細書
【補正対象項目名】００２７
【補正方法】変更
【補正の内容】
【００２７】
第２の実施の形態(図４)の場合、バイパス路４７に流れ込んだ水は給水口４９ａから流れ出るため、過大な水圧が不純物除去装置５０内に生じることはない。バイパス路４７からの流出水流が、通常の給水口４９とは異なる給水口４９ａから洗濯槽６に流れ出るため、所定以上の水圧の発生を容易に目視確認することができる。これにより不純物除去装置５０の安全を保つとともに、別の給水口４９ａから水が流れ出ることから、フィルター３４の交換時期を知らせることが可能となる。なお、第２の実施の形態(図４)では、表示リング３２に一体化された支軸３３ａをフィルター保持筒３３で軸支する構成になっているが、その機能は他の実施の形態と同様である。
【手続補正１１】
【補正対象書類名】明細書
【補正対象項目名】００３１
【補正方法】変更
【補正の内容】
【００３１】
【発明の効果】
以上説明したように本発明によれば、不純物除去装置が水中の不純物を除去するため、金属類を多く含んだ水質の地域で洗濯する際に使い勝手の良い洗濯機を実現することができる。また、不純物除去装置の内部に設けられている除塵手段が水を濾過することにより不純物を除去する構成になっているため、不純物除去装置において不純物を除去する面積を大きくとって水の抵抗を少なくすることができる。また、例えばフィルターの交換時期を知ることができ、それを洗濯機の外から確認することもできる。また、不純物除去装置内部に過大な水圧がかかるのを防いで不純物除去装置の破壊を未然に防止することができる。
【手続補正書】
【提出日】平成16年10月21日(2004.10.21)
【手続補正１】
【補正対象書類名】明細書
【補正対象項目名】００４２
【補正方法】変更
【補正の内容】
【００４２】
枠体２における窓枠口１の下部には、下の球受け皿Ｆや打球発射装置Ｇの打球部Ｇ２等を設置するための設置盤５が成形されている。設置盤５の中央部には賞球用の給出口６が形成されている。
【手続補正２】
【補正対象書類名】明細書
【補正対象項目名】００６９
【補正方法】変更
【補正の内容】
【００６９】
図１０（ａ）に示すように、この保護カバー体７１は、前面視で略正方形の外形形状を有している。保護カバー体７１は、全体的に遊技者側（即ち前方側、非遊技盤側）に膨らんだ曲面形状の膨出部９０を備えている。膨出部９０の外形・大きさは、枠本体２４の窓口２３を介して露出された遊技盤Ｃの遊技領域の外形・大きさにほぼ等しくなるように設定されている。ここでは膨出部９０が保護カバー体７１における大部分の面積を占めている。なお、図１０（ａ）に示された膨出部９０は略円形状ではあるが完全な円形状ではなく、その下側部分が円弧状に切り欠かれた形状となっている。このような切欠部分を設けた理由は、膨出部９０の下側部分が上の球受け皿Ｅに覆い被さっていると遊技球を取り出す際に邪魔になるが、そこを切り欠いておけば取り出しの際に邪魔にならなくなるからである。
【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
遊技盤を保持する前枠と，該前枠の前面に配設され，上記遊技盤を透し見るための開口部を有する前扉と，該前扉の裏面側から上記開口部を被うように配設されているガラスユニットとを含むパチンコ遊技機であって，
上記ガラスユニットは，所定のクリアランスを保持して略平行に配された複数のガラス板と，これらガラス板の周縁を保持する保持枠とを有し，上記保持枠には，上記前扉の裏面に設けた被係合部と着脱可能に係合する係合部と，上記前扉の裏面に設けた係止部に係止する被係止部とを有しており，
上記係合部と上記被係合部とが係合し，かつ，上記係止部と上記被係止部とが係止されていない状態において，上記係合部を通る直線を回転中心軸として，上記ガラスユニットが上記前扉に対して回動可能であると共に，上記係止部と上記被係止部とを係止させて固定することにより，上記ガラスユニットが上記前扉の上記開口部を裏面側から被うように配置され固定されるよう構成されていることを特徴とするパチンコ遊技機。
【請求項２】
請求項１において，上記前扉の裏面には，上記ガラスユニットが固定されたときに，該ガラスユニットの下端部と当接する棚面を含む段部が配設されており，上記棚面は，上記ガラスユニットの重量の少なくとも一部を負担するよう構成されていることを特徴とするパチンコ遊技機。
【請求項３】
請求項１又は２において，上記前扉は，左右いずれか一方の側端をなすヒンジ軸を回転軸として上記前枠に対して回動可能なように構成されており，かつ，上記ガラスユニットの左右の側端をなす上記保持枠のうち，上記ヒンジ軸に近い側端にある上記保持枠に上記係合部が配設されていると共に，上記回転中心軸が上記ヒンジ軸と略平行であることを特徴とするパチンコ遊技機。
【請求項４】
請求項１〜３のいずれか１項において，上記係合部と上記被係合部とは，ガイドピンと該ガイドピンに係合するガイド孔との組み合わせからなり，上記ガイドピン及び上記ガイド孔の軸方向が，上記ガラスユニットの上記回転中心軸となることを特徴とするパチンコ遊技機。
【請求項５】
請求項１〜４のいずれか１項において，上記係止部は，上記被係止部を押圧する押え部と，上記被係止部と重合する当接部とからなり，上記押え部は，移動可能に設けられており，上記被係止部を上記係止部に係止する際には上記当接部との間で上記被係止部を挟持するよう構成されていることを特徴とするパチンコ遊技機。
【請求項６】
請求項１〜５のいずれか１項において，上記保持枠は，上記前扉側に配置される上記ガラス板の表面側よりも上記前扉側に張り出した形状を有していることを特徴とするパチンコ遊技機。
【請求項７】
請求項１〜６のいずれか１項において，上記ガラスユニットは，該前扉と上記前枠との間に連通する隙間であって，外部から上記遊技盤上の遊技領域へ，異物を侵入させうる経路を遮断するストッパ部を有していることを特徴とするパチンコ遊技機。
【請求項８】
請求項１〜７のいずれか１項において，上記係合部は、上記ガラスユニットの一方の側端に形成されていることを特徴とするパチンコ遊技機。
【手続補正書】
【提出日】平成16年2月5日(2004.2.5)
【手続補正１】
【補正対象書類名】明細書
【補正対象項目名】特許請求の範囲
【補正方法】変更
【補正の内容】
【特許請求の範囲】
【請求項１】
薄板帯状をした複数の刃体を所定の切断間隔をあけて平行かつ階段状に保持した切刃群と、
上記切刃群に対向する上面に被切断物を収容保持できる凹部を設けるとともに、上記切刃群の各刃体を案内できる複数のスリットを設けた切断台と、
上記切刃群と上記切断台との一方又は双方を各刃体の切刃方向に相対動させるとともに、上記切刃群と上記切断台の一方又は双方を各刃体を含む平面に沿って近接させることにより、上記凹部に保持された被切断物を切断する駆動機構とを備え、
上記凹部に保持された被切断物の切断が終了したとき、上記各刃体が上記各スリット奥方に収容されるように構成した、切断装置。
【請求項２】
上記駆動機構は、上記切刃群を上記切断台に対して切刃方向に往復動させる第一の駆動機構と、上記切断台を上記切刃群に対して近接させる第二の駆動機構とを備えて構成した、請求項１に記載の切断装置。
【請求項３】
上記切刃群の各刃体及び上記切断台の各スリットを、水平面から所定の傾斜角度を有する平面に沿って配置することにより、被切断物の長手方向軸に対して斜め方向に切断できるように構成した、請求項１又は請求項２のいずれかに記載の切断装置。
【請求項４】
上記切断台は、複数の矩形プレートを上記スリットに対応する間隔を開けて積層保持することにより構成されている、請求項１から請求項３のいずれかに記載の切断装置。
【請求項５】
上記切刃群は、各刃体を枠体に張設保持して構成される、請求項１から請求項４のいずれかに記載の切断装置。
【請求項６】
上記各切刃の一端部又は両端部を、ワイヤを介して牽引保持するように構成した、請求項５に記載の切断装置。
【請求項７】
上記切断台は、上記切刃群から水平方向に離間した被切断物のセット位置と、上記切刃群の下方に位置する切断位置との間をスライド移動できるように構成されている、請求項１から請求項６のいずれかに記載の切断装置。
【請求項８】
薄板帯状をした複数の刃体を張設保持した切刃群を、被切断物を保持した切断台に対して切刃方向に相対動させるとともに、上記切刃群と上記切断台とを近接させて、被切断物を所定の厚さを備える複数の切断片に切断する切断方法であって、
上記複数の刃体を所定間隔をあけて水平面から傾斜する平面に沿って階段状に配置することにより上記切刃群を構成する一方、
上記切刃群の傾斜角度に対応する傾斜角度に設定されるとともに、上記各切刃を案内できるスリットを設けた切断台上の凹部に被切断物を保持させ、
上記切刃群と上記切断台とを上下方向に近接及び交差させて上記被切断物の切断を行うとともに、
被切断物の切断が終了したときに、上記各刃体を上記スリットの奥方に収容して上記被切断物から離間させる、切断方法。
【請求項９】
上記切断台を、上記切刃群の下方に位置する切断位置とこの切断位置から水平方向に離間した被切断物のセット位置との間でスライド移動可能に保持し、
上記セット位置において被切断物を上記凹部にセットする一方、
上記切断位置において、上記切刃群と上記切断台とを近接・交差させて被切断物の切断を行うとともに、
上記切刃群を上記スリットの奥方に収容して被切断物から離間させ、上記被切断物を取り出す、請求項８に記載の切断方法。
【請求項１０】
被切断物をその長手方向軸に対して斜め方向に切断する請求項８又は請求項９のいずれかに記載の切断方法。
【手続補正２】
【補正対象書類名】明細書
【補正対象項目名】００１１
【補正方法】変更
【補正の内容】
【００１１】
本願発明は、薄板帯状をした複数の刃体を所定の切断間隔をあけて平行かつ階段状に保持した切刃群と、上記切刃群に対向する上面に被切断物を収容保持できる凹部を設けるとともに、上記切刃群の各刃体を案内できる複数のスリットを設けた切断台と、上記切刃群と上記切断台との一方又は双方を各刃体の切刃方向に相対動させるとともに、上記切刃群と上記切断台の一方又は双方を各刃体を含む平面に沿って近接させることにより、上記凹部に保持された被切断物を切断する駆動機構とを備え、上記凹部に保持された被切断物の切断が終了したとき、上記各刃体が上記各スリット奥方に収容されるように構成したものである。


【手続補正３】
【補正対象書類名】明細書
【補正対象項目名】００１２
【補正方法】変更
【補正の内容】
【００１２】
本願発明に係る切断装置においては、薄板帯状の刃体を所定の切断間隔をあけて平行かつ階段状に保持した切刃群を用いて、被切断物を一度の工程で多数の切断片に切断処理できる。


【手続補正４】
【補正対象書類名】明細書
【補正対象項目名】００３４
【補正方法】変更
【補正の内容】
【００３４】
また、請求項６に記載した発明のように、刃体をワイヤ等を用いて張設保持する構造を採用すると、隣接する刃体の張設機構を離して設けることが可能となる。例えば、ワイヤの掛止部を千鳥状に配置することにより、各掛止部の間隔を大きく設定できる。したがって、刃体の間隔を小さく設定できるとともに、張設作業等が容易になる。この結果、薄い刃体を小さい間隔をあけて保持し、たとえば、２ｍｍ以下の間隔で多数の刃体を張設保持し、非常に薄い切断片を形成することも可能となった。これにより、従来の自動切断装置では不可能であったふぐ等の薄造り等を容易に、しかも大量に切断調理することができる。
【手続補正５】
【補正対象書類名】明細書
【補正対象項目名】００３５
【補正方法】変更
【補正の内容】
【００３５】
本願の請求項７に記載した発明は、上記切断台を、上記切刃群から水平方向に離間した被切断物のセット位置と、上記切刃群の下方に位置する切断位置との間をスライド移動できるように構成したものである。  これにより、上記セット位置において被切断物を上記凹部にセットする一方、上記切断位置において、上記切刃群と上記切断台とを近接・交差させて被切断物の切断を行うとともに、上記切刃群を上記スリットの奥方に収容して被切断物から離間させ、上記被切断物を取り出すことができる。
【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
固定側型板を有する固定側金型と可動側型板を有する可動側金型とが相対向して配置される成形用金型において、前記固定側型板及び前記可動側型板のそれぞれに熱媒体が通る温度調節用配管が設けられており、前記温度調節用配管は、前記熱媒体の出入り口となる温調開口部と、前記固定側金型及び可動側金型に設けられているキャビティの温度調節を行うキャビティ温調部とを備えると共に、前記温調開口部に低熱伝導部を設けたことを特徴とする成形用金型。
【請求項２】
前記温度調節用配管は金型のパーティング面に対する投影形状が略一致するように前記固定側金型及び可動側金型に設けられていることを特徴とする請求項１記載の成形用金型。
【請求項３】
前記固定側金型及び可動側金型に複数のキャビティが設けられており、前記キャビティ温調部は複数のキャビティに対し略等しい距離で離れた位置に設けられていることを特徴とする請求項１又は２記載の成形用金型。
【請求項４】
前記固定側金型及び可動側金型に単一のキャビティが設けられており、前記キャビティ温調部は単一のキャビティに対し略等しい距離で離れた位置に設けられていることを特徴とする請求項１又は２記載の成形用金型。
【手続補正２】
【補正対象書類名】明細書
【補正対象項目名】０００７
【補正方法】変更
【補正の内容】
【０００７】
【課題を解決するための手段】
上記目的を達成するため、請求項１の発明は、固定側型板を有する固定側金型と可動側型板を有する可動側金型とが相対向して配置される成形用金型において、前記固定側型板及び前記可動側型板のそれぞれに熱媒体が通る温度調節用配管が設けられており、前記温度調節用配管は、前記熱媒体の出入り口となる温調開口部と、前記固定側金型及び可動側金型に設けられているキャビティの温度調節を行うキャビティ温調部とを備えると共に、前記温調開口部に低熱伝導部を設けたことを特徴とする。
【手続補正書】
【提出日】平成17年4月19日(2005.4.19)
【手続補正１】
【補正対象書類名】明細書
【補正対象項目名】発明の名称
【補正方法】変更
【補正の内容】
【発明の名称】セラミック成形体の封口方法、セラミック成形体の封口装置、多孔質セラミック部材の製造方法、及び、セラミックフィルタの製造方法
【手続補正２】
【補正対象書類名】明細書
【補正対象項目名】特許請求の範囲
【補正方法】変更
【補正の内容】
【特許請求の範囲】
【請求項１】
多数の貫通孔が隔壁を隔てて長手方向に並設された柱状のセラミック成形体の前記貫通孔の端部を、セラミック粉末を主成分とする封口用ペーストで封口するセラミック成形体の封口方法であって、封口パターン状に開孔が形成されたマスクを、前記セラミック成形体の端面に当接した後、前記封口用ペーストを前記マスクの開孔から前記セラミック成形体の貫通孔に侵入させ、次に、前記封口用ペーストの前記貫通孔の端面における断面積を減少させる操作を行った後、前記マスクを前記セラミック成形体の端面から引き離すことを特徴とするセラミック成形体の封口方法。
【請求項２】
多数の貫通孔が隔壁を隔てて長手方向に並設された柱状のセラミック成形体の前記貫通孔の端部を、セラミック粉末を主成分とする封口用ペーストで封口するセラミック成形体の封口方法であって、封口パターン状に開孔が形成されたマスクを、前記セラミック成形体の端面に当接した後、前記封口用ペーストを前記マスクの開孔から前記セラミック成形体の貫通孔に侵入させ、次に、前記封口用ペーストの前記貫通孔の端面近傍における容積を減少させる操作を行った後、前記マスクを前記セラミック成形体の端面から引き離すことを特徴とするセラミック成形体の封口方法。
【請求項３】
封口用ペーストをマスクの開孔からセラミック成形体の貫通孔に侵入させた後、マスクを前記セラミック成形体の端面に沿ってずらす操作を行う請求項１記載のセラミック成形体の封口方法。
【請求項４】
封口用ペーストをマスクの開孔からセラミック成形体の貫通孔に侵入させた後、マスクのそれぞれの開孔内にピンを侵入させる操作を行う請求項１又は２記載のセラミック成形体の封口方法。
【請求項５】
多数の貫通孔が隔壁を隔てて長手方向に並設された柱状のセラミック成形体の前記貫通孔の端部を、セラミック粉末を主成分とする封口用ペーストで封口するための封口装置であって、封口パターン状に開孔が形成されたマスクが側面に設置され、任意の方向に移動が可能なように構成された封口用ペースト吐出槽と、前記吐出槽内部に配設された攪拌片と、前記吐出槽内部のマスクから少し離れた位置に、それぞれの開孔に対向して配設され、前記開孔方向に移動することができるように構成された複数のピンとを備えたことを特徴とするセラミック成形体の封口装置。
【請求項６】
請求項１〜４のいずれか１に記載の封口方法で封口されたセラミック成形体を焼成処理することを特徴とする多孔質セラミック部材の製造方法。
【請求項７】
請求項６に記載の製造方法で製造した多孔質セラミック部材を複数個結束させることを特徴とするセラミックフィルタの製造方法。
【手続補正３】
【補正対象書類名】明細書
【補正対象項目名】０００１
【補正方法】変更
【補正の内容】
【０００１】
【発明の属する技術分野】
本発明は、多数の貫通孔が長手方向に並設された柱状のセラミック成形体の封口方法、前記セラミック成形体の封口装置、上記封口方法で封口したセラミック成形体を用いる多孔質セラミック部材の製造方法、及び、上記製造方法で得た多孔質セラミック部材を用いるセラミックフィルタの製造方法に関する。
【手続補正４】
【補正対象書類名】明細書
【補正対象項目名】００１２
【補正方法】変更
【補正の内容】
【００１２】
【発明が解決しようとする課題】
本発明は、これらの問題を解決するためになされたもので、セラミック成形体の端面に、封口用ペーストからなる突起や垂れ等を形成させることなく、封口すべきでない貫通孔を封口してしまう等の問題を発生させることなく、適切に封口処理を行うことができるセラミック成形体の封口方法、上記セラミック成形体の封口処理に用いられる封口装置、上記封口方法で封口したセラミック成形体を用いる多孔質セラミック部材の製造方法、及び、上記製造方法で得た多孔質セラミック部材を用いるセラミックフィルタの製造方法を提供することを目的とするものである。
【手続補正５】
【補正対象書類名】明細書
【補正対象項目名】００１５
【補正方法】変更
【補正の内容】
【００１５】
また、第三の本発明は、多数の貫通孔が隔壁を隔てて長手方向に並設された柱状のセラミック成形体の上記貫通孔の端部を、セラミック粉末を主成分とする封口用ペーストで封口するための封口装置であって、封口パターン状に開孔が形成されたマスクが側面に設置され、任意の方向に移動が可能なように構成された封口用ペースト吐出槽と、上記吐出槽内部に配設された攪拌片と、上記吐出槽内部のマスクから少し離れた位置に、それぞれの開孔に対向して配設され、上記開孔方向に移動することができるように構成された複数のピンとを備えたことを特徴とするセラミック成形体の封口装置である。
また、第四の本発明は、第一又は第二の本発明のセラミック成形体の封口方法で封口されたセラミック成形体を焼成処理することを特徴とする多孔質セラミック部材の製造方法である。
また、第五の本発明は、第四の本発明の多孔質セラミック部材の製造方法で製造した多孔質セラミック部材を複数個結束させることを特徴とするセラミックフィルタの製造方法である。
【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  データ・プロセッサにおいて後続の命令処理に影響を及ぼす方法であって：
前記データ・プロセッサの命令集合を形成する複数の命令の１つ以上を受信する段階；
受信した前記複数の命令の前記１つ以上をデコードする段階；
デコードした前記複数の命令の前記１つ以上を実行する段階；
前記命令集合内に含まれる１つの命令である所定の命令を受信する段階；
前記所定の命令をデコードする段階；および
前記デコードに応答して、前記所定の命令のデコードに続く所定数の命令の間、または前記所定の命令のデコードに続く所定の時間区間にわたり、前記データ・プロセッサが遭遇するあらゆる例外の、前記データ・プロセッサの処理を遅延させる段階；
を備えることを特徴とする方法。
【請求項２】  あらゆる例外の処理を遅延させる前記段階は：
カウンタをタイマとして用い、前記所定の命令のデコードに続く前記所定の時間区間を判定する段階を更に含むことを特徴とする請求項１記載の方法。
【請求項３】  あらゆる例外の前記データ・プロセッサによる実行を遅延させる前記段階は、割り込み状態例外のみに応答して、処理を遅延させる段階を更に含むことを特徴とする請求項１記載の方法。
【請求項４】  データ・プロセッサであって：
所定の命令集合を実行する命令実行回路であって、該所定の命令集合が、少なくとも１つの命令を含み、前記命令実行回路によって実行された場合、前記少なくとも１つの命令の実行に続く所定数の命令の間、前記データ・プロセッサの処理に関連する割り込み状態の認識を、前記データ・プロセッサに遅延させる命令実行回路；
を備えることを特徴とするデータ・プロセッサ。
【請求項５】  前記データ・プロセッサが割り込み状態の認識を遅延させる前記所定数の命令は、前記データ・プロセッサのユーザによって、ユーザ・プログラム可能であることを特徴とする請求項４記載のデータ・プロセッサ。
【手続補正書】
【提出日】平成17年2月4日(2005.2.4)
【手続補正１】
【補正対象書類名】明細書
【補正対象項目名】発明の名称
【補正方法】変更
【補正の内容】
【発明の名称】基板載置台表面保護板、基板処理装置、処理室内部のクリーニング方法及び基板載置台のクリーニング方法
【手続補正２】
【補正対象書類名】明細書
【補正対象項目名】特許請求の範囲
【補正方法】変更
【補正の内容】
【特許請求の範囲】
【請求項１】
基板載置台上の所定の部位に設置されて、該部位をクリーニングガスから保護するための基板載置台表面保護板であって、少なくともクリーニングガスにさらされる側の表面部をマイクロクラックが実質的になく形成した炭化珪素板から成ることを特徴とする基板載置台表面保護板。
【請求項２】
前記クリーニングガスにさらされる側の前記表面部は、前記炭化珪素板の表面を炭化珪素を構成する原子の再配列を可能にする温度で熱処理して形成されていることを特徴とする請求項１に記載の基板載置台表面保護板。
【請求項３】
前記クリーニングガスにさらされる側の前記表面部は、ＣＶＤ法によって形成された炭化珪素層であることを特徴とする請求項１に記載の基板載置台表面保護板。
【請求項４】
全体がマイクロクラックが実質的になく形成されていることを特徴とする請求項１乃至３のいずれかの１に記載の基板載置台表面保護板。
【請求項５】
多孔質グラファイト板と珪素ソースのガスを含有する反応ガスとを反応させて形成したことを特徴とする請求項１または４に記載の基板載置台表面保護板。
【請求項６】
基板を処理する基板処理装置であって、該基板処理装置内部の基板載置台上の所定の部位に設置されて、該部位をクリーニングガスから保護するための基板載置台表面保護板を備え、該基板載置台表面保護板は、少なくともクリーニングガスにさらされる側の表面部をマイクロクラックが実質的になく形成した炭化珪素板から成ることを特徴とする基板処理装置。
【請求項７】
基板を処理するための処理室の内部のクリーニング方法において、基板載置台上に請求項１乃至５のいずれかの１に記載の基板載置台表面保護板を設置し、前記処理室の内部をクリーニングガスを用いてクリーニングすることを特徴とする処理室の内部のクリーニング方法。
【請求項８】
基板載置台のクリーニング方法において、該基板載置台上に請求項１乃至５のいずれかの１に記載の基板載置台表面保護板を設置し、前記基板載置台をクリーニングガスを用いてクリーニングすることを特徴とする基板載置台のクリーニング方法。
【手続補正３】
【補正対象書類名】明細書
【補正対象項目名】０００１
【補正方法】変更
【補正の内容】
【０００１】
【発明の属する技術分野】
本発明は、基板載置台表面保護板、これを備える基板処理装置並びにこれを用いた処理室及び基板載置台のクリーニング方法に関する。
【手続補正４】
【補正対象書類名】明細書
【補正対象項目名】０００５
【補正方法】変更
【補正の内容】
【０００５】
この発明の課題は、クリーニング作業中におけるパーティクルの発生を抑制することが可能な基板載置台表面保護板と、前記基板載置台表面保護板を備える基板処理装置と、前記基板載置台表面保護板を使用して基板載置台をクリーニングする方法と、前記基板載置台表面保護板を使用して内部に基板載置台が配置される処理室の内部をクリーニングする方法を提供することにある。
【手続補正５】
【補正対象書類名】明細書
【補正対象項目名】００１１
【補正方法】変更
【補正の内容】
【００１１】
請求項６に記載の発明の基板処理装置は、基板を処理する基板処理装置であって、該基板処理装置内部の基板載置台上の所定の部位に設置されて、該部位をクリーニングガスから保護するための基板載置台表面保護板を備え、該基板載置台表面保護板は、少なくともクリーニングガスにさらされる側の表面部をマイクロクラックが実質的になく形成した炭化珪素板から成ることを特徴とする。
請求項７に記載の発明の処理室の内部のクリーニング方法は、基板を処理するための処理室の内部のクリーニング方法において、基板載置台上に請求項１乃至５のいずれかの１に記載の基板載置台表面保護板を設置し、前記処理室の内部をクリーニングガスを用いてクリーニングすることを特徴とする。
【手続補正６】
【補正対象書類名】明細書
【補正対象項目名】００１２
【補正方法】変更
【補正の内容】
【００１２】
請求項８に記載の発明の基板載置台のクリーニング方法は、基板載置台のクリーニング方法において、該基板載置台上に請求項１乃至５のいずれかの１に記載の基板載置台表面保護板を設置し、前記基板載置台をクリーニングガスを用いてクリーニングすることを特徴とする。
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
半導体ウエハの洗浄装置において、前記半導体ウエハを保持して回転させる回転機構と、前記半導体ウエハの基準位置を検出するセンサとを備えたことを特徴とする洗浄装置。
【請求項２】
前記センサの出力を利用し、前記半導体ウエハの回転終了時に半導体ウエハの基準位置を所定の位置に合わせて停止可能な請求項１記載の洗浄装置。
【請求項３】
前記センサの出力を利用し、前記半導体ウエハの回転速度を検出可能な請求項１記載の洗浄装置。
【請求項４】
前記センサは透過型センサ又は反射型センサからなる請求項１乃至３のいずれか１項に記載の洗浄装置。
【請求項５】
半導体ウエハを研磨し、研磨後に洗浄するポリッシング装置において、前記半導体ウエハを保持して回転させる回転機構と、前記半導体ウエハの基準位置を検出するセンサとを備えたことを特徴とするポリッシング装置。
【請求項６】
半導体ウエハを回転させながら洗浄又は乾燥を行うために半導体ウエハを回転させる回転機構と、
前記回転機構によって回転している半導体ウエハの基準位置を検出し出力信号を出力するセンサと、
前記センサからの出力信号に基づいて半導体ウエハの回転速度を検知する制御装置とを備えたことを特徴とする半導体ウエハの処理装置。
【請求項７】
前記回転機構は半導体ウエハを保持して回転させるようになっていることを特徴とする請求項６記載の処理装置。
【請求項８】
半導体ウエハの基準位置は半導体ウエハのオリフラ又はノッチであることを特徴とする請求項６記載の処理装置。
【請求項９】
前記センサは透過型センサ又は反射型センサからなることを特徴とする請求項６記載の処理装置。
【請求項１０】
前記制御装置は、半導体ウエハの基準位置を所定の位置に合わせるために前記回転機構を制御することを特徴とする請求項６記載の処理装置。
【請求項１１】
前記制御装置は、検知された半導体ウエハの回転速度に基づいて半導体ウエハの回転異常を検知することを特徴とする請求項６記載の処理装置。
【請求項１２】
半導体ウエハを回転させながら半導体ウエハの洗浄又は乾燥を行い、
回転している半導体ウエハの基準位置をセンサにより検出し、
前記センサからの出力信号に基づいて半導体ウエハの回転速度を検知することを特徴とする半導体ウエハの処理方法。
【手続補正２】
【補正対象書類名】明細書
【補正対象項目名】０００７
【補正方法】変更
【補正の内容】
【０００７】
【課題を解決するための手段】
上述の目的を達成するため、本発明の洗浄装置は、半導体ウエハの洗浄装置において、前記半導体ウエハを保持して回転させる回転機構と、前記半導体ウエハの基準位置を検出するセンサとを備えたことを特徴とするものである。
【手続補正３】
【補正対象書類名】明細書
【補正対象項目名】０００８
【補正方法】変更
【補正の内容】
【０００８】
また本発明のポリッシング装置は、半導体ウエハを研磨し、研磨後に洗浄するポリッシング装置において、前記半導体ウエハを保持して回転させる回転機構と、前記半導体ウエハの基準位置を検出するセンサとを備えたことを特徴とするものである。
【手続補正４】
【補正対象書類名】明細書
【補正対象項目名】０００９
【補正方法】変更
【補正の内容】
【０００９】
本発明の洗浄装置又はポリッシング装置によれば、回転機構により回転している半導体ウエハの基準位置を検出することにより、半導体ウエハの回転速度を検出することができるとともに、半導体ウエハの基準位置を所定の位置に合わせて半導体ウエハを停止させることができる。
また、本発明の半導体ウエハの処理装置は、半導体ウエハを回転させながら洗浄又は乾燥を行うために半導体ウエハを回転させる回転機構と、前記回転機構によって回転している半導体ウエハの基準位置を検出し出力信号を出力するセンサと、前記センサからの出力信号に基づいて半導体ウエハの回転速度を検知する制御装置とを備えたことを特徴とするものである。
また、本発明の半導体ウエハの処理方法は、半導体ウエハを回転させながら半導体ウエハの洗浄又は乾燥を行い、回転している半導体ウエハの基準位置をセンサにより検出し、前記センサからの出力信号に基づいて半導体ウエハの回転速度を検知することを特徴とするものである。
【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
一画素毎に直流電源で駆動される薄膜表示素子を有する画像表示装置において、
この薄膜表示素子に駆動電流を流す発光電流駆動用ＴＦＴの活性層はポリシリコンで形成されるとともに、
この発光電流駆動用ＴＦＴのゲート長及びゲート幅の寸法を、それぞれ活性層を構成するポリシリコンの結晶粒領域の平均径の１０倍以上にしたことを特徴とする画像表示装置。
【請求項２】
一画素毎に直流電源で駆動される薄膜表示素子を有する画像表示装置において、
この薄膜表示素子に駆動電流を流す発光電流駆動用ＴＦＴの活性層はポリシリコンで形成されるとともに、
この発光電流駆動用ＴＦＴのチャネル長と活性層を構成するポリシリコンの結晶粒領域の平均径との比（チャネル長／結晶粒領域の平均径）は１０以上であることを特徴とする画像表示装置。
【請求項３】
前記発光電流駆動用ＴＦＴのゲート容量は、次の表示用データ書き込み時間までそのゲート電圧を保持するのに十分な容量を持つことを特徴とする請求項１又は請求項２記載の画像表示装置。
【請求項４】
前記ポリシリコンの結晶粒領域の平均径は０．５〜２μｍの範囲であることを特徴とする請求項１乃至請求項３のいずれか一項に記載の画像表示装置。
【請求項５】
前記薄膜表示素子は有機ＥＬ素子であることを特徴とする請求項１乃至請求項４のいずれか一項に記載の画像表示装置。
【手続補正２】
【補正対象書類名】明細書
【補正対象項目名】００２１
【補正方法】変更
【補正の内容】
【００２１】
【課題を解決するための手段】前記目的を達成するため本発明の画像表示装置では、下記（１）、（２）の如く構成される。
（１）一画素毎に、直流電源で駆動される薄膜表示素子を有する画像表示装置において、この薄膜表示素子に駆動電流を流す発光電流駆動用ＴＦＴの活性層はポリシリコンで形成されるとともに、この発光電流駆動用ＴＦＴのゲート長及びゲート幅の寸法を、それぞれ活性層を構成するポリシリコンの結晶粒領域の平均径の１０倍以上にしたことを特徴とする。
【手続補正３】
【補正対象書類名】明細書
【補正対象項目名】００４４
【補正方法】変更
【補正の内容】
【００４４】
Ｌ及びＷの寸法が発光電流駆動用ＴＦＴの活性層を構成するポリシリコンの結晶粒領域の平均径の１０倍であれば、通常の情報表示のとき要求される８階調のものに対して充分実用可能な範囲にバラツキの程度を抑制することができる。
【手続補正４】
【補正対象書類名】明細書
【補正対象項目名】００４６
【補正方法】変更
【補正の内容】
【００４６】
図５は横軸をチャネル長Ｌとポリシリコンの粒径との比つまり倍率を示し、縦軸をドレイン電流の平均値（Ａｖｅ）とドレイン電流の標準偏差（σ）の比を％で示したものである。これにより明らかなように、チャネル長Ｌとポリシリコンの結晶粒領域の平均径との比（Ｌ／結晶粒領域の平均径）が１０以上では、ドレイン電流の標準偏差（σ）／ドレイン電流の平均値（Ａｖｅ）が８％以下となることが明らかである。又ゲート長及び幅をより大きくすると、つまり前記Ｌ／結晶粒領域の平均径の比をより大きくすればバラツキはますます小さくなるが、そのバラツキの減少量は段々と小さくなってゆく。なおゲート電圧を変更しても、例えば５Ｖ程度に変更しても同様の傾向が得られた。
【手続補正５】
【補正対象書類名】明細書
【補正対象項目名】００４７
【補正方法】変更
【補正の内容】
【００４７】
またＬ及びＷの寸法が発光電流駆動用ＴＦＴの活性層のポリシリコンのグレイン・サイズの５０倍以上のときは、人間の目ではバラツキがほとんど判断できないものとすることができる。
【手続補正書】
【提出日】平成16年11月9日(2004.11.9)
【手続補正１】
【補正対象書類名】明細書
【補正対象項目名】請求項１
【補正方法】変更
【補正の内容】
【請求項１】
基台と、上部材と、屈伸可能であることにより前記基台と前記上部材とを前記基台に対して前記上部材を昇降可能に連結する屈伸部と、前記基台に、横方向に延びる軸を中心として回転可能に支持された巻き取りロールと、可視情報を担持しており、上端側を前記上部材に、下端側を前記巻き取りロールに取り付けられた表示シートと、前記巻き取りロールを前記表示シートを巻き取る方向に付勢するばねとを有してなる折り畳み式表示板。
【手続補正２】
【補正対象書類名】明細書
【補正対象項目名】０００６
【補正方法】変更
【補正の内容】
【０００６】
【課題を解決するための手段】
本発明による折り畳み式表示板は、屈伸可能な屈伸部を介して基台に上部材を連結し、前記基台に対し前記上部材を昇降可能とする。文字、図形、記号等の可視情報を担持した表示シートの上端側を前記上部材に、下端側を前記巻き取りロールにそれぞれ取り付け、前記巻き取りロールを前記表示シートを巻き取る方向にばねで付勢する。
【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
楽音の波形データのうちの、雑音成分が多くかつ該楽音の音色の特徴をよく表している波形部分のみに識別情報を埋め込むようにした楽音波形データの識別情報埋込み方法。
【請求項２】
楽音の波形データのうちの、振幅が大きくかつ該楽音の音色の特徴をよく表している波形部分のみに識別情報を埋め込むようにした楽音波形データの識別情報埋込み方法。
【請求項３】
楽音の波形データのうちの、該楽音の立上り部分に相当する波形部分のみに識別情報を埋め込むようにした楽音波形データの識別情報埋込み方法。
【請求項４】
楽音の波形データから立上り部分を分離する第１のステップと、
該第１のステップで分離した立上り部分の波形データに識別情報を埋め込む第２のステップと、
該第１のステップで分離した立上り部分以外の波形データと、該第２のステップで識別情報が埋め込まれた立上り部分の波形データとを合成する第３のステップと
からなる識別情報を埋め込んだ楽音波形データの作成方法。
【請求項５】
楽音の波形データから立上り部分を分離する第１のステップと、
該第１のステップで分離した立上り部分の波形データを周波数変換して周波数スペクトルを得る第２のステップと、
該第２のステップで得られた周波数スペクトルに識別情報をスペクトル拡散して埋め込む第３のステップと、
該第３のステップで識別情報の埋め込まれた周波数スペクトルを逆周波数変換して、識別情報が埋め込まれた立上り部分の波形データを得る第４のステップと、
該第１のステップで分離した立上り部分以外の波形データと、該第４のステップで得られた識別情報が埋め込まれた立上り部分の波形データとを合成する第５のステップと
からなる識別情報を埋め込んだ楽音波形データの作成方法。
【請求項６】
楽音の波形データのうちの、雑音成分が多くかつ該楽音の音色の特徴をよく表している波形部分のみに識別情報が埋め込まれたデータ構造を有する楽音波形データが記録された機械読み取り可能な記録媒体。
【請求項７】
楽音の波形データのうちの、振幅が大きくかつ該楽音の音色の特徴をよく表している波形部分のみに識別情報が埋め込まれたデータ構造を有する楽音波形データが記録された機械読み取り可能な記録媒体。
【請求項８】
楽音の波形データのうちの、該楽音の立上り部分に相当する波形部分のみに識別情報が埋め込まれたデータ構造を有する楽音波形データが記録された機械読み取り可能な記録媒体。
【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
発話者の方向を検出する方向検出手段と、
発話者の音声を検出する音声検出手段と、
前記音声検出手段の指向特性を前記方向検出手段により検出された発話者の方向において高めるように調整する指向特性調整手段と、
前記音声検出手段により検出された発話者の音声を認識する音声認識手段を備えたことを特徴とする車載用音声認識装置。
【請求項２】
前記音声検出手段は、複数のマイクロフォンで構成され、
前記方向検出手段は、前記複数のマイクロフォンにより検出された検出信号相互間の信号レベル差に基いて前記発話者の方向を検出するものであることを特徴とする請求項１記載の車載用音声認識装置。
【請求項３】
前記音声検出手段は、複数のマイクロフォンで構成され、
前記方向検出手段は、前記複数のマイクロフォンにより検出された検出信号相互間の遅延時間に基いて前記発話者の方向を検出するものであることを特徴とする請求項１記載の車載用音声認識装置。
【請求項４】
発話者の位置を検出する位置検出手段を備え、
前記方向検出手段は、前記音声検出手段の設置位置と前記位置検出手段により検出された発話者の位置に基いて前記発話者の方向を検出するものであることを特徴とする請求項１記載の車載用音声認識装置。
【請求項５】
発話者の座席の設定状態を検出する座席設定状態検出手段を備え、
前記位置検出手段は、前記座席設定状態検出手段により検出された発話者の座席の設定状態に基いて前記発話者の位置を検出するものであることを特徴とする請求項４記載の車載用音声認識装置。
【請求項６】
前記音声検出手段は、複数のマイクロフォンで構成され、
前記指向特性調整手段は、前記複数のマイクロフォンにより検出された検出信号の利得を調整して重み付けを行う利得調整手段であることを特徴とする請求項１記載の車載用音声認識装置。
【請求項７】
発話者の音声を検出する前面に管状体が配設されたマイクロフォンと、
前記マイクロフォンにより検出された発話者の音声を認識する音声認識手段を備えたことを特徴とする車載用音声認識装置。
【請求項８】
車両に搭載される機器を音声操作するための音声認識装置であって、
発話者の音声を検出する音声検出手段と、
前記音声検出手段の指向特性を発話者の方向において高めるように調整する指向特性調整手段とを備え、
前記指向特性調整手段は、少なくとも運転席または助手席の発話者の方向の指向性を選択的に高めることを特徴とする車載用音声認識装置。
【請求項９】
車両に搭載され、音声操作可能な情報機器であって、
発話者の音声を検出する音声検出手段と、
前記音声検出手段の指向特性を発話者の方向において高めるように調整する指向特性調整手段と、
前記指向特性調整手段により調整された発話者の音声を認識する音声認識手段を備えたことを特徴とする車載用情報機器。
【請求項１０】
車両に搭載される情報機器を音声操作する方法であって、
音声検出手段により発話者の音声を検出し、
前記音声検出手段の指向特性を発話者の方向において高めるように調整し、
前記調整された発話者の音声を認識し、
前記認識された発話者の音声に基づいて音声操作を行うことを特徴とする、音声操作方法。
【手続補正２】
【補正対象書類名】明細書
【補正対象項目名】０００７
【補正方法】変更
【補正の内容】
【０００７】
【課題を解決するための手段】
上記目的を達成するために本発明は、発話者の方向を検出する方向検出手段と
、発話者の音声を検出する音声検出手段と、前記音声検出手段の指向特性を前記
方向検出手段により検出された発話者の方向において高めるように調整する指向
特性調整手段と、前記音声検出手段により検出された発話者の音声を認識す
る音声認識手段を備えたことを特徴とするものである。
【手続補正３】
【補正対象書類名】明細書
【補正対象項目名】００１０
【補正方法】変更
【補正の内容】
【００１０】
また、前記音声検出手段は、複数のマイクロフォンで構成され、前記指向特性調整手段は、前記複数のマイクロフォンにより検出された検出信号の利得を調整して重み付けを行う利得調整手段であることを特徴とするものである。
また、発話者の音声を検出する前面に管状体が配設されたマイクロフォンと、前記マイクロフォンにより検出された発話者の音声を認識する音声認識手段を備えたことを特徴とするものである。
また、前記指向特性調整手段は、車両の少なくとも運転席または助手席の発話者の方向の指向性を選択的に高めることを特徴とするものである。
【手続補正書】
【提出日】平成16年3月2日(2004.3.2)
【手続補正１】
【補正対象書類名】明細書
【補正対象項目名】請求項７
【補正方法】変更
【補正の内容】
【請求項７】
該スライスレベル調整手段は、該第１〜第４のゲート生成手段の出力より生成される所定時間幅の第２のブーストゲートを生成する手段を備え、該第２のブーストゲートの期間、該スライスレベルを制御する時定数を小さくすることを特徴とする請求項５記載の光学的情報再生装置。